(57)【特許請求の範囲】
【請求項１】
連結ロッドと、音孔カバー部材とを有し、
前記音孔カバー部材は、少なくとも１つの固定アームと、音孔カバーと、少なくとも１つの調整アームと、少なくとも１つの押圧部材とを有し、
前記固定アームの一端は前記連結ロッドに連結されると共に、他端は前記音孔カバーに連結され、
前記調整アームの一端は前記固定アームに連結されると共に、他端は自由端であり、前記音孔カバーの外側に位置し、
前記押圧部材は、前記調整アームの自由端に連結されることを特徴とする管楽器用音孔カバー調整装置。
【請求項２】
前記押圧部材は、ビス穴が穿設される位置決めブロックと、該位置決めブロックのビス穴に螺入されると共に、前記音孔カバーの外側を押圧するビスとを有することを特徴とする請求項１に記載の管楽器用音孔カバー調整装置。
【請求項３】
前記固定アームの両側に夫々１つの調整アームが設けられ、
前記固定アームの両側に夫々設けられる２つの調整アームの自由端に連結される押圧部材は、前記固定アームに対して互いに対称となるように設置されることを特徴とする請求項２に記載の管楽器用音孔カバー調整装置。
【発明の詳細な説明】
【技術分野】
【０００１】
本発明は、特に音孔カバーを音孔を確実に塞ぐことができる管楽器用音孔カバー調整装置に関するものである。
【背景技術】
【０００２】
管楽器は、中空管体からなる共鳴管により音を発生させる楽器であり、音を発生させる仕組みにより、管楽器を金管楽器や木管楽器に分類している。その内、前記木管楽器における音を発生させる仕組みは、管体の内部に息を吹き込み、吹き込んだ息の気流により、管体の内部の空気柱を振動させ、音を発生させるものである。なお、例えば、フルート、クラリネット、オーボエ及びサクソホンなどの木管楽器は、その管壁に複数の音孔が穿設され、該音孔を塞いだり開けたりすることにより、前記管体の内部における音波の伝播距離を変え、異なる音高の音を発生させている。
【０００３】
図６に示すように、例えば特許文献１に記載の従来のサクソホンは、タバコパイプ状を呈する管体４０と、該管体４０の管壁に穿設される複数の音孔と、該管体４０の外側に設置される複数のボタン構成４１とを有する構成である。
【０００４】
前記各ボタン構成４１は回転可能な連結ロッド４１１を有し、該連結ロッド４１１に少なくとも１つの音孔カバー部材が設けられ、該音孔カバー部材は固定アーム４１２を有し、その固定アーム４１２一端は該連結ロッド４１１に連結されると共に、他端には、音高を変更可能な、対応する音孔を塞ぐことができる音孔カバー４１３が固設される。
【先行技術文献】
【特許文献】
【０００５】
【特許文献１】米国特許第６，９７２，３６１号
【発明の概要】
【発明が解決しようとする課題】
【０００６】
音高を正確に制御できるかは、前記音孔カバー４１３で確実に音孔を塞げるかにかかっているが、音孔を塞ぐ動作を何度も繰り返すと、該音孔カバー４１３と音孔との気密性が低下し、気流が音孔から漏れるので、音高を正確に制御できなくなってしまう。
【０００７】
そこで、出願されたのが本発明であって、安定した正確な音を発生させるために、押圧部材で音孔カバーを押圧することにより、音孔カバーによって音孔を確実に塞ぐことができる管楽器用音孔カバー調整装置を提供することを目的としている。
【課題を解決するための手段】
【０００８】
本願の請求項１の発明は、連結ロッドと、音孔カバー部材とを有し、
前記音孔カバー部材は、少なくとも１つの固定アームと、音孔カバーと、少なくとも１つの調整アームと、少なくとも１つの押圧部材とを有し、
前記固定アームの一端は前記連結ロッドに連結されると共に、他端は前記音孔カバーに連結され、
前記調整アームの一端は前記固定アームまたは連結ロッドに連結されると共に、他端は自由端であり、前記音孔カバーの外側に位置し、
前記押圧部材は、前記調整アームの自由端に連結されることを特徴とする管楽器用音孔カバー調整装置、を提供する。
【０００９】
本願の請求項２の発明は、前記押圧部材が、ビス穴が穿設される位置決めブロックと、該位置決めブロックのビス穴に螺入されると共に、前記音孔カバーの外側を押圧するビスとを有することを特徴とする請求項１に記載の管楽器用音孔カバー調整装置、を提供する。
【００１０】
本願の請求項３の発明は、前記調整アームが、前記固定アームに連結され、湾曲状を呈する中央部を有するものであり、その一端は前記連結ロッドに連結されると共に、他端は自由端であり、前記音孔カバーの外側に位置し、
前記押圧部材は、前記調整アームの自由端に連結されることを特徴とする請求項１又は請求項２に記載の管楽器用音孔カバー調整装置、を提供する。
【００１１】
本願の請求項４の発明は、前記固定アームの両側に夫々１つの調整アームが設けられ、
前記固定アームの両側に夫々設けられる２つの調整アームの自由端に連結される押圧部材は、前記固定アームに対して互いに対称となるように設置されることを特徴とする請求項３に記載の管楽器用音孔カバー調整装置、を提供する。
【発明の効果】
【００１２】
本発明に係る管楽器用音孔カバー調整装置においては、何度も音孔を塞ぐ動作が繰り返され、音孔カバーと音孔との気密性が低下すると、押圧部材を用い、音孔カバーと音孔との気密性を回復させ、気流の音孔からの漏れを防止することから、長期に亘り使用しても正確な音高を出し続けることができるので、高品質な演奏を提供することができる。
【図面の簡単な説明】
【００１３】
【図１】本発明に係る管楽器用音孔カバー調整装置の斜視図である。
【図２】本発明に係る管楽器用音孔カバー調整装置をサクソホンに適用した状態を示す斜視図である。
【図３】本発明に係る管楽器用音孔カバー調整装置の部分側面断面図である。
【図４】本発明に係る管楽器用音孔カバー調整装置の使用状態を示す部分側面断面図である。
【図５】本発明に係る管楽器用音孔カバー調整装置の他の実施形態を示す斜視図である。
【図６】従来のサクソホンの斜視図である。
【発明を実施するための形態】
【００１４】
以下、添付図面を参照して本発明の好適な実施の形態を詳細に説明する。
【００１５】
図１に示すように、本発明に係る管楽器用音孔カバー調整装置は、連結ロッド１０及び音孔カバー部材２０を有する。
【００１６】
前記連結ロッド１０は細長状のロッドであり、前記音孔カバー部材２０は、少なくとも１つの固定アーム２１と、音孔カバー２２と、少なくとも１つの調整アーム２３と、少なくとも１つの押圧部材２４とを有する。
【００１７】
その内、前記固定アーム２１の一端は前記連結ロッド１０に連結されると共に、他端は前記音孔カバー２２に連結され、また、前記調整アーム２３の一端は前記固定アーム２１に連結されると共に、他端は自由端であり、前記音孔カバー２２の外側に位置する。
【００１８】
図３に示すように、押圧部材２４は、位置決めブロック２４１と、ビス２４２とを有し、その内、該位置決めブロック２４１は、調整アーム２３の自由端に連結され、ビス穴２４１１が穿設されるものであり、該ビス２４２は、該位置決めブロック２４１のビス穴２４１１に螺入されると共に、音孔カバー２２を外側から押圧するものである。
【００１９】
また、本実施例において前記固定アーム２１の両側には夫々１つの調整アーム２３が設けられ、該固定アーム２１の両側に夫々設けられる２つの調整アーム２３の自由端に夫々１つの押圧部材２４が連結され、該２つの調整アーム２３の自由端に連結される２つの押圧部材２４は夫々、該固定アーム２１に対して互いに対称となるように設置される。
【００２０】
図２及び図３に示すように、本発明に係る管楽器用音孔カバー調整装置を使用する時は、例えばサクソホンなどの管楽器の管体３０の外側に取り付けられ、その連結ロッド１０は回転可能であると共に、音孔カバー２２は、該管体３０に穿設される音孔３１と対応する箇所に位置し、また、該連結ロッド１０には、該管体３０の内部における音波の伝播距離を変え、異なる音高の音を発生させるために、該連結ロッド１０を回転させて音孔カバー２２で該音孔３１を塞ぐためのボタン１１が設置される。
【００２１】
また、例えば、長時間に亘る音孔の開閉動作により前記音孔カバー２２と音孔３１との間に隙間ができ、該音孔カバー２２による音孔３１の封止が困難となり、正確な音高を発することができなくなった場合は、前記ビス２４２を前記位置決めブロック２４１のビス穴２４１１により深く螺入し、該ビス２４２の先端で前記音孔カバー２２の外側を押圧すれば、該音孔カバー２２を音孔３１側に押し付けることができる。
【００２２】
即ち、図４に示すように、固定アーム２１の両側に夫々設けられる２つの調整アーム２３の自由端に連結される押圧部材２４における位置決めブロック２４１のビス２４２によって、音孔カバー２２を押圧して音孔３１に接近させると、該音孔カバー２２により音孔３１を緊密に塞ぐことができるので、正確な音高を発生させることができる。
【００２３】
図５に示すように、本発明に係る管楽器用音孔カバー調整装置の他の実施形態においては、調整アーム２３Aが固定アーム２１Aに連結されると共に、湾曲状を呈する中央部を有し、また、調整アーム２３Aの一端は連結ロッド１０Aに連結されると共に、他端は音孔カバー２２Aの外側に位置する自由端であり、該調整アーム２３Aの自由端には押圧部材２４Aが連結され、これにより、音孔カバー部材２０Aを固定アーム２１A及び調整アーム２３Aによって安定して連結ロッド１０Aに連結させることができる。
【産業上の利用可能性】
【００２４】
本発明に係る管楽器用音孔カバー調整装置は上述の構造を有することから、何度も音孔を塞ぐ動作が繰り返され、音孔カバーと音孔との気密性が低下すると、押圧部材を用い、音孔カバーと音孔との気密性を回復させ、気流の音孔からの漏れを防止し、長期に亘り使用しても正確な音高を出し続けることができるので、高品質な演奏を提供することができる。
【符号の説明】
【００２５】
１０      連結ロッド
１１      ボタン
２０      音孔カバー部材
２１      固定アーム
２２      音孔カバー
２３      調整アーム
２４１１  ビス穴
２４１    位置決めブロック
２４２    ビス
２４      押圧部材
３０      管体
３１      音孔
４０      管体
４１１    連結ロッド
４１２    固定アーム
４１３    音孔カバー
４１      ボタン構成
【図１】
0005245095.tif 000002
【図２】
0005245095.tif 000003
【図３】
0005245095.tif 000004
【図４】
0005245095.tif 000005
【図５】
0005245095.tif 000006
【図６】
0005245095.tif 000007